(57)【特許請求の範囲】
【請求項１】
複数の外部入力端子を備え、これら外部入力端子の中から選択した１つの入力端子から入力される音声信号を増幅して、浴室内に配設されたオーディオスピーカを鳴動させる浴室音響装置において、浴室内に設置されたリモコンに、各入力端子に対応する複数の選択スイッチを設け、これら複数の選択スイッチのうちの操作された選択スイッチに相当する外部入力端子を選択すると共に、音声信号を発信する機器が接続されていない外部入力端子が存在する場合に、その接続されていない外部入力端子に相当する選択スイッチが操作されても、接続されていない端子への選択を禁止する選択禁止手段を設け、更に、上記複数の入力端子のいずれかと対をなす動画信号入力端子を設け、動画信号入力端子から入力された動画信号を浴室内に設置された浴室テレビに出力し、動画信号入力端子と対をなす入力端子から動画信号入力端子と対をなさない他の入力端子に切り替えられると、動画信号に替えて静止画信号を浴室テレビに出力する画像信号監視ユニットを設けたことを特徴とする浴室音響装置。
【請求項２】
上記複数の外部入力端子のうちの少なくとも１つを、浴室内に画像表示部とテレビスピーカとが取り付けられた上記浴室テレビからの音声信号が入力される専用の外部入力端子として設定すると共に、この専用の外部入力端子以外の外部入力端子から入力された音声信号を分岐して浴室テレビに出力し、浴室テレビのテレビスピーカで再生可能としたことを特徴とする請求項１に記載の浴室音響装置。
【請求項３】
上記画像信号監視ユニットは、動画信号が入力されない場合に、静止画信号を浴室テレビに出力することを特徴とする請求項２に記載の浴室音響装置。
【請求項４】
浴室内のリモコンから発信された信号を受信して、外部入力端子に接続された機器にその信号を赤外線として射出する赤外線信号射出手段を備えたことを特徴とする請求項１から請求項３のいずれかに記載の浴室音響装置。
【発明の詳細な説明】
【技術分野】
【０００１】
本発明は、浴室内に設置したオーディオスピーカから高音質の音楽を流して浴室内で音楽を楽しむことのできる浴室音響装置に関する。
【背景技術】
【０００２】
従来のこの種の装置としては、浴室外に音響装置を設置し、浴室内に設置したオーディオスピーカを鳴動させて浴室内で音楽を楽しむことができるようにしたものが知られている。このものでは、浴室内に赤外線式のリモコンを設置すると共に、浴室内にこのリモコンから射出された赤外線を受光して電気信号に変換する受光部を設置している。そして受光部から出力される信号を浴室外に設置された発光部に入力し、リモコンから射出された赤外線と同じ信号が重畳された赤外線を、この発光部から射出して浴室外の音響装置の操作を行うように構成されている（例えば、特許文献１参照）。
【特許文献１】特開２０００−３３３２６８号公報（図１）
【発明の開示】
【発明が解決しようとする課題】
【０００３】
上記従来の浴室音響装置では、浴室外に設置する音響装置は１種類であったため、例えばＭＤプレーヤを接続している場合には、ＣＤプレーヤやその他のオーディオ装置は接続できないか、もしくはＭＤプレーヤを外して他のオーディオ装置を接続し直すという煩わしさがあった。
【０００４】
また、オーディオ装置の種類やメーカが異なると制御用の信号コードが相違するため、オーディオ装置ごとにリモコンを用意しなければならないが、各リモコンは浴室内で使用するため防水構造でなければならず、現実には各オーディオ装置ごとにリモコンを用意することは不可能であった。
【０００５】
そこで本発明は、上記の問題点に鑑み、上述の不具合が生じない浴室音響装置を提供することを課題とする。
【課題を解決するための手段】
【０００６】
上記課題を解決するために本発明による浴室音響装置は、複数の外部入力端子を備え、これら外部入力端子の中から選択した１つの入力端子から入力される音声信号を増幅して、浴室内に配設されたオーディオスピーカを鳴動させる浴室音響装置において、浴室内に設置されたリモコンに、各入力端子に対応する複数の選択スイッチを設け、これら複数の選択スイッチのうちの操作された選択スイッチに相当する外部入力端子を選択すると共に、音声信号を発信する機器が接続されていない外部入力端子が存在する場合に、その接続されていない外部入力端子に相当する選択スイッチが操作されても、接続されていない端子への選択を禁止する選択禁止手段を設け、更に、上記複数の入力端子のいずれかと対をなす動画信号入力端子を設け、動画信号入力端子から入力された動画信号を浴室内に設置された浴室テレビに出力し、動画信号入力端子と対をなす入力端子から動画信号入力端子と対をなさない他の入力端子に切り替えられると、動画信号に替えて静止画信号を浴室テレビに出力する画像信号監視ユニットを設けたことを特徴とする。
【０００７】
複数の外部入力端子を設け、複数のオーディオ装置等を各外部入力端子に接続すると共に、浴室内のリモコンで外部入力端子から入力されてくる音声信号を選択して再生すれば、複数のオーディオ装置を１つの外部入力端子に接続し直すという煩わしさが解消する。ただし、外部入力端子のすべてにオーディオ装置等が接続されるとは限らない。そのため、リモコンを操作する際に、オーディオ装置等が接続されていない外部入力端子を意識せずに選択すると、リモコンを操作しても浴室内のオーディオスピーカからは音楽等が再生されない。そして、オーディオ装置等が接続されていない外部入力端子を選択したことに気付くまでは、音楽等が発音されない原因がわからず、浴室音響装置に故障等の異常が生じたかのような誤解を招くことになる。そこで、上記選択禁止手段により、オーディオ装置等が接続されていない外部入力端子が選択されようとしても、その端子への選択を禁止するようにした。これにより、オーディオ装置等が接続されていない外部入力端子は選択されず、リモコンの使い勝手が向上する。
【０００８】
上記複数の外部入力端子のうちの少なくとも１つを、浴室内に画像表示部とテレビスピーカとが取り付けられた浴室テレビからの音声信号が入力される専用の外部入力端子として設定すると共に、この専用の外部入力端子以外の外部入力端子から入力された音声信号を分岐して浴室テレビに出力し、浴室テレビのテレビスピーカで再生可能としてもよい。  入力されたテレビ音声が浴室テレビへと入力されると、テレビ音声が無限に増幅されて、いわゆるハウリング現象が生じるおそれがある。そこで、浴室テレビに出力する音声信号は浴室テレビからの音声信号が入力される端子以外の端子に限定することとした。これにより、浴室のみから音声を出すことができると共に、ハウリングを防止できる。
【０００９】
ところで、外部のオーディオ装置として、ビデオ装置やＤＶＤ装置のように音声信号のほかに画像信号を出力するものがある。一方、ＣＤプレーヤなどは音声信号のみであり、画像信号は出力しない。画像信号は浴室テレビの画像表示部に表示されるが、その状態でＣＤプレーヤなどの画像信号を出力しないオーディオ装置に切り替えられると、浴室テレビには砂嵐状のノイズ画面もしくはブルー画面が表示される。その画面に不都合を感じる場合には、以下のように構成すればよい。
【００１０】
すなわち、上記複数の外部入力端子のほかに、画像信号が入力される画像信号入力端子を備え、入力された画像信号を上記浴室テレビに出力すると共に、画像信号が入力されない場合に、浴室テレビに出力する画像データを記憶する画像データ記憶手段を備える。これにより、画像信号が入力されない場合には、画像データ記憶手段に記憶された画像データが表示され、浴室音響装置の使い勝手が向上される。
【００１１】
なお、浴室内のリモコンから発信された信号を受信して、外部入力端子に接続された機器にその信号を赤外線として射出する赤外線信号射出手段を備えれば、浴室のリモコン１台で浴室外の複数のオーディオ装置等の機器を制御することができる。
【発明の効果】
【００１２】
以上の説明から明らかなように、本発明は、複数の外部機器を接続することができ、かつそれらの外部機器からの音楽等の再生や外部機器の操作を浴室内のリモコンで行うことができる。
【発明を実施するための最良の形態】
【００１３】
図１を参照して、１は本発明による浴室音響装置であるマルチアンプである。このマルチアンプは入力された音声信号を増幅するアンプ機能と、複数の外部入力端子のうちから１つの外部入力端子を選択して、その外部入力端子からの音声信号をアンプ機能に入力させる選択機能とを備えている。増幅された音声信号は浴室ＢＲ内に取り付けられたオーディオスピーカ１１に出力され、これら１対のオーディオスピーカ１１を鳴動させる。外部入力端子は音声信号が入力される端子であり、本実施の形態では４個の外部入力端子２を設けた。またこれら外部入力端子２のほかに外部から画像信号が入力される画像信号入力端子１２が設けられている。
【００１４】
この画像信号入力端子１２から入力された画像信号は画像信号出力端子１３から出力される。浴室ＢＲには浴室テレビのモニタ部３１が取り付けられている。このモニタ部３１には液晶表示部とテレビスピーカとが取り付けられており、浴室ＢＲの天井裏に設置されたチューナ部３から送られてくる画像信号を受けてテレビ画像を表示すると共に、同じチューナ部３から送られてくる音声信号を受けて、テレビスピーカが鳴動するように構成されている。
【００１５】
マルチアンプ１から出力された画像信号はこのチューナ部３に入力され、浴室テレビのモニタ部３１でこの映像信号を表示させるように接続されている。また、マルチアンプ１に入力された音声信号のうち、選択されたものはマルチアンプ１内で分岐されて外部出力端子１４からチューナ部３へと出力される。チューナ部３へ入力された音声信号はモニタ部３１のテレビスピーカから再生される。
【００１６】
マルチアンプ１には、浴室ＢＲ内に受光部が臨むように取り付けられた受光ユニット１５が接続されている。浴室ＢＲ内には赤外線式のリモコン４が載置されており、このリモコン４から射出された赤外線を受光ユニット１５で受光できるように構成されている。なお、このリモコン４は浴室テレビの操作を行う機能を備えているので、リモコン４から射出された赤外線は、上記受光ユニット１５のほかにモニタ部３１に取り付けられた受光ユニット（図示せず）にも受光される。
【００１７】
受光ユニット１５で受光された赤外線は電気信号に変換されて、居間ＬＲなどの浴室ＢＬ以外の部屋に設置された入出力端子ユニット５１，５２，５３にそのまま出力される。これら入出力端子ユニット５１，５２，５３に通信線を接続し、その通信線の先端に発光部５４ａを接続すると、発光部５４ａは信号が重畳された赤外線を射出する。
【００１８】
また、各入出力端子ユニット５１，５２，５３には音声信号を入力するための端子が設けられており、各端子は外部入力端子２に接続されている。従って、ＤＶＤプレーヤ６１やＭＤプレーヤ６２が出力する音声信号が外部入力端子２へと入力される。特に入出力端子ユニット５１には画像信号を入力する端子が設けられており、その端子は画像信号入力端子１２に接続されている。そのため、ＤＶＤプレーヤ６１から出力される画像信号が画像信号入力端子１２に入力される。なお、本実施の形態では入出力端子ユニット５３には外部機器が接続されていない。
【００１９】
図２及び図３を参照して、リモコン４には選択スイッチ４１が設けられている。このリモコン４はいわゆる学習リモコンであり、各メーカが採用する制御コードが記憶されており、各選択スイッチ４１に所望の制御コードを対応させることができる。そして、４個の選択スイッチ４１のうちのいずれかの選択スイッチが押し操作されると、リモコン４はその押された選択スイッチに対応する制御コードの赤外線信号を射出する。従って、その後他の選択スイッチが押し操作されると、後で押された選択スイッチに対応する制御コードの赤外線を射出する。なお、このリモコン４は浴室テレビの制御用としても使用するので、浴室テレビの制御コードの赤外線は、リモコン４の専用スイッチを押すことによりいつでも射出することができる。
【００２０】
一方、マルチアンプ１には外部端子２のうちのどの端子に外部機器が接続されているのか否かを設定する手段が設けられている。その手段は例えばディップスイッチであり、４個の外部入力端子２である外部入力端子２１，２２，２３，２４の各々に対応する４個のディップを備えたディップスイッチがマルチアンプ１内に内蔵されており、外部機器が接続されている外部入力端子に対応するディップをオンにすることにより、どの外部入力端子に外部機器が接続されているかを認識することができる。
【００２１】
リモコン４の選択スイッチ４１のうち「ＴＶ」が外部入力端子２０に対応し、以下「１」が外部入力端子２１に対応し、「２」が外部入力端子２２に対応し、「３」が外部入力端子２３に対応している。そして外部入力端子２０にはチューナ部３からのテレビ音声信号が入力され、外部入力端子２１には入出力端子ユニット５１を介してＤＶＤプレーヤ６１からの音声信号が入力され、外部入力端子２２には入出力端子ユニット５２を介してＭＤプレーヤ６２からの音声信号が入力される。なお、外部入力端子２３には音声信号が入力されないので、この外部入力端子２３に対応するディップのみがオフ状態になっている。
【００２２】
マルチアンプ１内にはアンプユニット１６が内蔵されており、このアンプユニット１６に入力された音声信号が増幅されてオーディオスピーカ１１に出力される。また、マルチアンプ１内には第１切替スイッチ７１と第２切替スイッチ７２とが直列に接続されている。第１切替スイッチ７１は外部入力端子２１，２２，２３の３この中から択一的に選択して、選択された１個の外部入力端子からの音声信号を出力するものである。この出力された音声信号は分岐されて外部出力端子１４からチューナ部３へと出力される。また、第２切替スイッチ７２は第１切替スイッチ７１が出力する音声信号と外部入力端子２０から入力される浴室テレビの音声信号とのいずれか一方をアンプユニット１６に入力させるものである。そして、これら２つの切替スイッチ７１，７２はリモコン４の選択スイッチ４１によって切り替えられる。
【００２３】
すなわち、選択スイッチ４１の「ＴＶ」スイッチが押されると、第２切替スイッチ７２が作動して、チューナ部３からの音声信号がアンプユニット１６に入力される。そのため、オーディオスピーカ１１からはテレビの音声が発音される。
【００２４】
次に選択スイッチ４１の「１」のスイッチが押されると、第２切替スイッチ７２が切り替わると共に、第１切替スイッチ７１が外部入力端子２１に切り替わる。そのため、アンプユニット１６にはＤＶＤプレーヤ６１からの音声信号が入力され、オーディオスピーカ１１からはＤＶＤプレーヤ６１からの音声信号が発音されるようにした。なお、ＤＶＤプレーヤ６１からの音声信号はチューナ部３へ分岐されており、かつＤＶＤプレーヤ６１からの画像信号もチューナ部３へ出力される。
【００２５】
その状態では、モニタ部３１にＤＶＤプレーヤ６１からの動画が映し出されるが、テレビスピーカからも音声が再生される。オーディオスピーカ１１からの高音質の音声に対して、テレビスピーカから再生される音声は音質が低下している。そのため、テレビスピーカからの発音を停止したい場合が生じる。このとき、テレビ消音スイッチ４２を押すと浴室テレビ内でミュート処理がされて、音量がゼロになる。ただし、このようにミュート処理により音量をゼロにした場合に、画面には常に音量がゼロである表示が表示され続ける。そのため、動画鑑賞に邪魔になる場合がある。この場合「ＴＶ音量」スイッチによって音量を下げればよいが、音量が下がるまでスイッチを押し続けなければならない。
【００２６】
そこで、リモコン４に「ＡＶ消音」スイッチ４３を設けた。このスイッチ４３を１回押すと、浴室テレビに対して音量が十分にゼロになる間、音量を下げる信号が発信され続ける。そして、最後に音量を１段階上げる信号が出される。すると、テレビの音量はゼロではなく１になる。この場合にはモニタ部３１に音量が１である表示が表示されても、数秒後に表示が消える。そのため動画鑑賞の邪魔にならない。
【００２７】
次に、選択スイッチ４１の「２」が押されると、第１切替スイッチ７１が切り替わり、外部入力端子２２からの音声信号がアンプユニット１６に入力される。さらに画像信号監視ユニット８が作動して、ＤＶＤプレーヤ６１からの画像信号が画像信号出力端子１３から出力されることを遮断する。なお、画像信号監視ユニット８内には予め静止画像のデータが記憶されており、ＤＶＤプレーヤ６１からの画像信号の代わりに、その記憶されている画像信号を画像信号出力端子１３からチューナ部３へ出力する。すると、ＤＶＤプレーヤ６１からＭＤプレーヤ６２に切り替えられたとたんに、モニタ部３１にノイズ画面やブルー画面が表示されることを防止し、記憶されている静止画像が表示されることにより不快感が生じないようにした。なお、この状態で「ＡＶ音量」スイッチ４４を操作すると、発光部５４ａから赤外線が射出され、ＭＤプレーヤ６２の音量が増減される。
【００２８】
次に、選択スイッチ４１の「３」が押された場合、本実施の形態では、外部機器が接続されておらずディップがオフになっているので、切替スイッチ７１，７２は共に切り替え状態が変化しないようにした。
【００２９】
図２に示した構成では２つの切替スイッチ７１，７２を直列に接続した。このように構成した理由は、チューナ部３から入力される音声信号が再びチューナ部３に入力されて、いわゆるハウリング現象が生じることを防止するためである。ハウリング現象の発生を防止するには他の構成を採用してもよく、例えば図４に示すように、４回路の切替スイッチ７３を用いると共に、この切替スイッチ７３の出力側から外部出力端子１４までの間に開閉スイッチ７４を介設し、外部入力端子２０が選択されたときのみ開閉スイッチ７４をオフにするように構成してもよい。
【００３０】
ところで、上記実施の形態では外部入力端子２への音声信号の入力の有無をディップスイッチにより設置したが、外部入力端子に接続されるコネクタに短絡抵抗を内蔵させておき、コネクタが接続されたことをマルチアンプ１側で自動的に検出して、コネクタが接続されていない外部入力端子には切替スイッチが切り替わらないように構成してもよい。
【００３１】
なお、本発明は上記した形態に限定されるものではなく、本発明の要旨を逸脱しない範囲内において種々の変更を加えてもかまわない。
【図面の簡単な説明】
【００３２】
【図１】本発明の一実施の形態の構成を示す図
【図２】浴室音響装置の内部構造を示すブロック図
【図３】リモコンの外観を示す図
【図４】浴室音響装置の他の内部構造を示すブロック図
【符号の説明】
【００３３】
１  マルチアンプ
２  外部入力端子
３  チューナ部
４  リモコン
【図１】
0004456063.tif 000002
【図２】
0004456063.tif 000003
【図３】
0004456063.tif 000004
【図４】
0004456063.tif 000005